(57)【要約】  【課題】構造が簡単であってかつ構架材との十分な接続強度を確保できるプレストレストコンクリート構造体を提供する。  【解決手段】軸方向にＰＣ鋼材を配設したコンクリート成形部21内の軸方向途中部に、ＰＣ鋼材を挿通した２つのアンカープレート24をそれぞれ軸方向に対し交差する状態で配設する。コンクリート成形部21内で２つのアンカープレート24の４隅部間を４本の連結ボルト25により相互に連結する。コンクリート成形部21内で各アンカープレート24から軸方向に複数のアンカー鋼材27，28を突出させる。各アンカープレート24に、コンクリート成形部21の側面に露出した状態で埋込んだ構架材接続用の埋込みプレート29をそれぞれ一体に設ける。  【選択図】図１
2005336748.tif 000002
【特許請求の範囲】
【請求項１】
長尺に成形されたコンクリート成形部と、
コンクリート成形部内の軸方向に配設されたプレストレストコンクリート用の緊張材と、
コンクリート成形部内の軸方向途中部に軸方向に対し交差する状態で配設され緊張材が挿通されたアンカープレートと、
コンクリート成形部内でアンカープレートから軸方向に突出された複数のアンカー軸状部材と、
アンカープレートに一体に設けられコンクリート成形部の側面に露出した状態で埋込まれた構架材接続用の埋込みプレートと
を具備したことを特徴とするプレストレストコンクリート構造体。
【請求項２】
長尺に成形されたコンクリート成形部と、
コンクリート成形部内の軸方向に配設されたプレストレストコンクリート用の緊張材と、
コンクリート成形部内の軸方向途中部の複数位置に軸方向に対し交差する状態で配設され緊張材が挿通された複数のアンカープレートと、
コンクリート成形部内で複数のアンカープレートの少なくとも４隅部間を相互に連結する複数の連結部材と、
コンクリート成形部内で各アンカープレートから軸方向に突出された複数のアンカー軸状部材と、
複数のアンカープレートに一体に設けられコンクリート成形部の側面に露出した状態で埋込まれた構架材接続用の埋込みプレートと
を具備したことを特徴とするプレストレストコンクリート構造体。
【請求項３】
埋込みプレートは、構架材の軸筋を接続するための接続ボルトを螺合するねじ穴を有する
ことを特徴とする請求項１または２記載のプレストレストコンクリート構造体。
【請求項４】
コンクリート成形部にて構架材接続領域内の表面に凹凸状に形成された表面処理部
を具備したことを特徴とする請求項１乃至３のいずれか記載のプレストレストコンクリート構造体。
【請求項５】
長尺に成形されたコンクリート成形部と、
コンクリート成形部内の軸方向に配設されたプレストレストコンクリート用の緊張材と、
コンクリート成形部の軸方向途中部の外周面に露出した状態でボックス状に埋込まれた構架材接続用の鋼管と
を具備したことを特徴とするプレストレストコンクリート構造体。
【請求項６】
長尺に成形されたコンクリート成形部と、
コンクリート成形部内の軸方向に配設されたプレストレストコンクリート用の緊張材と、
コンクリート成形部の軸方向途中部の一側面およびこの一側面に対し反対側に位置する他側面に露出した状態で埋込まれた複数の構架材接続用の埋込みプレートと、
緊張材を避けてコンクリート成形部内に配設され一側面および他側面の埋込みプレートの左右一端部間および他端部間を連結する連結プレートと
を具備したことを特徴とするプレストレストコンクリート構造体。
【発明の詳細な説明】
【技術分野】
【０００１】
本発明は、構架材接続構造を有するプレストレストコンクリート構造体に関するものである。以下、プレストレストコンクリートを、「ＰＣ」と略称する。
【背景技術】
【０００２】
ＰＣ中空杭を柱列式に配置したＰＣ中空杭壁に構架材を接合した接合構造を形成することにより、ＰＣ中空杭壁を仮設の山留壁としてのみならず、そのまま地下構造物の構造体として利用できるようにし、施工性向上・工期短縮を図るようにしたものがある。
【０００３】
すなわち、ＰＣ中空杭の側面に取り付けられた埋込み鋼板に、構架材の端部が固定されるように、ＰＣ中空杭における構架材接合構造を構成する。ＰＣ中空杭は、構架材との接合部を補強する補強筋と、補強筋と埋込み鋼板とを連結するアンカー筋とを備え、さらに埋込み鋼板には構架材接合鋼板が固定され、構架材を構成するコンクリートによってこれらの鋼板を覆うようにしている（例えば、特許文献１参照）。
【特許文献１】特開平１１−３６３２７号公報（第３−４頁、図１−２）
【発明の開示】
【発明が解決しようとする課題】
【０００４】
このように、従来のＰＣ中空杭は、構架材との接合部を補強する補強筋と、補強筋と埋込み鋼板とを連結するアンカー筋とを備えているが、このような配筋構造は、構造が複雑で、配筋作業も容易でない。さらに、接続強度を確保するために配筋構造を簡略化することはできない。
【０００５】
本発明は、このような点に鑑みなされたもので、構造が簡単であってかつ構架材との十分な接続強度を確保できるプレストレストコンクリート構造体を提供することを目的とするものである。
【課題を解決するための手段】
【０００６】
請求項１記載の発明は、長尺に成形されたコンクリート成形部と、コンクリート成形部内の軸方向に配設されたプレストレストコンクリート用の緊張材と、コンクリート成形部内の軸方向途中部に軸方向に対し交差する状態で配設され緊張材が挿通されたアンカープレートと、コンクリート成形部内でアンカープレートから軸方向に突出された複数のアンカー軸状部材と、アンカープレートに一体に設けられコンクリート成形部の側面に露出した状態で埋込まれた構架材接続用の埋込みプレートとを具備したプレストレストコンクリート構造体であり、そして、コンクリート成形部内の軸方向に対し交差する状態で配設されたアンカープレートから軸方向に突出された複数のアンカー軸状部材によって、アンカープレートを介して両側に位置するコンクリート成形部間の縁切れを防止するとともにアンカープレートの面方向の引抜き抗力を高めることで、アンカープレートに一体に設けられた構架材接続用の埋込みプレートを介して、構架材との十分な接続強度を確保できるプレストレストコンクリート構造体を提供する。しかも、アンカープレートおよびアンカー軸状部材の簡単な構造でも強度を確保でき、複雑な配筋構造を必要としない。
【０００７】
請求項２記載の発明は、長尺に成形されたコンクリート成形部と、コンクリート成形部内の軸方向に配設されたプレストレストコンクリート用の緊張材と、コンクリート成形部内の軸方向途中部の複数位置に軸方向に対し交差する状態で配設され緊張材が挿通された複数のアンカープレートと、コンクリート成形部内で複数のアンカープレートの少なくとも４隅部間を相互に連結する複数の連結部材と、コンクリート成形部内で各アンカープレートから軸方向に突出された複数のアンカー軸状部材と、複数のアンカープレートに一体に設けられコンクリート成形部の側面に露出した状態で埋込まれた構架材接続用の埋込みプレートとを具備したプレストレストコンクリート構造体であり、そして、コンクリート成形部内の軸方向に対し交差する状態で配設された複数のアンカープレートの少なくとも４隅部間を、コンクリート成形部内の複数の連結部材により相互に連結することで、構架材接続用の筋構造物の強度を確保し、また、各アンカープレートから軸方向に突出された複数のアンカー軸状部材によって、アンカープレートを介して両側に位置するコンクリート成形部間の縁切れを防止するとともにアンカープレートの面方向の引抜き抗力を高めることで、これらの複数のアンカープレートに一体に設けられた構架材接続用の埋込みプレートを介して、構架材との十分な接続強度を確保できるプレストレストコンクリート構造体を提供する。しかも、アンカープレート、連結部材およびアンカー軸状部材の簡単な構造でも強度を確保でき、複雑な配筋構造を必要としない。
【０００８】
請求項３記載の発明は、請求項１または２記載のプレストレストコンクリート構造体における埋込みプレートが、構架材の軸筋を接続するための接続ボルトを螺合するねじ穴を有するものであり、そして、埋込みプレートのねじ穴に螺合した接続ボルトによって構架材の軸筋を接続することで、埋込みプレートに構架材の軸筋を溶接した場合の溶接疲労を防止する。
【０００９】
請求項４記載の発明は、請求項１乃至３のいずれか記載のプレストレストコンクリート構造体において、コンクリート成形部にて構架材接続領域内の表面に凹凸状に形成された表面処理部を具備したものであり、そして、凹凸状の表面処理部により、プレストレストコンクリート構造体のコンクリート成形部と構架材のコンクリートとの接合強度を向上させる。
【００１０】
請求項５記載の発明は、長尺に成形されたコンクリート成形部と、コンクリート成形部内の軸方向に配設されたプレストレストコンクリート用の緊張材と、コンクリート成形部の軸方向途中部の外周面に露出した状態でボックス状に埋込まれた構架材接続用の鋼管とを具備したプレストレストコンクリート構造体であり、そして、コンクリート成形部の外周面にボックス状に埋込まれた構架材接続用の鋼管によって、構架材との十分な接続強度を確保する。しかも、この構架材接続用の鋼管は、コンクリート成形部内に配設されたプレストレストコンクリート用の緊張材と関係なくコンクリート成形部の外周面に設置可能であり、複雑な配筋構造も必要としない。
【００１１】
請求項６記載の発明は、長尺に成形されたコンクリート成形部と、コンクリート成形部内の軸方向に配設されたプレストレストコンクリート用の緊張材と、コンクリート成形部の軸方向途中部の一側面およびこの一側面に対し反対側に位置する他側面に露出した状態で埋込まれた複数の構架材接続用の埋込みプレートと、緊張材を避けてコンクリート成形部内に配設され一側面および他側面の埋込みプレートの左右一端部間および他端部間を連結する連結プレートとを具備したプレストレストコンクリート構造体であり、そして、コンクリート成形部の一側面および他側面に露出した状態で埋込まれた構架材接続用の埋込みプレートの左右一端部間および他端部間を、コンクリート成形部内の連結プレートにより連結したボックス構造によって、構架材との十分な接続強度を確保する。しかも、一側および他側の構架材接続用の埋込みプレートの左右一端部間および他端部間を、プレストレストコンクリート用の緊張材を避けてコンクリート成形部内に配設された連結プレートにより連結した簡単な構造で、接続強度を確保する。
【発明の効果】
【００１２】
請求項１記載の発明によれば、コンクリート成形部内の軸方向に対し交差する状態で配設されたアンカープレートから軸方向に突出された複数のアンカー軸状部材によって、アンカープレートを介して両側に位置するコンクリート成形部間の縁切れを防止できるとともにアンカープレートの面方向の引抜き抗力を高めるので、アンカープレートに一体に設けられた構架材接続用の埋込みプレートを介して、構架材との十分な接続強度を確保できるプレストレストコンクリート構造体を提供できる。しかも、アンカープレートおよびアンカー軸状部材の簡単な構造でも強度を確保でき、複雑な配筋構造を不要にできる。
【００１３】
請求項２記載の発明によれば、コンクリート成形部内の軸方向に対し交差する状態で配設された複数のアンカープレートの少なくとも４隅部間を、コンクリート成形部内の複数の連結部材により相互に連結することで、構架材接続用の筋構造物の強度を確保でき、また、各アンカープレートから軸方向に突出された複数のアンカー軸状部材によって、アンカープレートを介して両側に位置するコンクリート成形部間の縁切れを防止できるとともにアンカープレートの面方向の引抜き抗力を高めるので、これらの複数のアンカープレートに一体に設けられた構架材接続用の埋込みプレートを介して、構架材との十分な接続強度を確保できるプレストレストコンクリート構造体を提供できる。しかも、アンカープレート、連結部材およびアンカー軸状部材の簡単な構造でも強度を確保でき、複雑な配筋構造を不要にできる。
【００１４】
請求項３記載の発明によれば、埋込みプレートのねじ穴に螺合した接続ボルトによって構架材の軸筋を接続することで、埋込みプレートに構架材の軸筋を溶接した場合の溶接疲労を防止できる。
【００１５】
請求項４記載の発明によれば、凹凸状の表面処理部により、プレストレストコンクリート構造体のコンクリート成形部と構架材のコンクリートとの接合強度を向上できる。
【００１６】
請求項５記載の発明によれば、コンクリート成形部の外周面にボックス状に埋込まれた構架材接続用の鋼管によって、構架材との十分な接続強度を確保できる。しかも、この構架材接続用の鋼管は、コンクリート成形部内に配設されたプレストレストコンクリート用の緊張材と関係なくコンクリート成形部の外周面に設置でき、複雑な配筋構造を防止できる。
【００１７】
請求項６記載の発明によれば、コンクリート成形部の一側面および他側面に露出した状態で埋込まれた構架材接続用の埋込みプレートの左右一端部間および他端部間を、コンクリート成形部内の連結プレートにより連結したボックス構造によって、構架材との十分な接続強度を確保できる。しかも、一側および他側の構架材接続用の埋込みプレートの左右一端部間および他端部間を、プレストレストコンクリート用の緊張材を避けてコンクリート成形部内に配設された連結プレートにより連結した簡単な構造で、接続強度を確保できる。
【発明を実施するための最良の形態】
【００１８】
以下、本発明を、図１乃至図８に示された第１の実施の形態、図９に示された第２の実施の形態、図１０に示された第３の実施の形態、図１２乃至図１４に示された第４の実施の形態、図１５乃至図１７に示された第５の実施の形態を参照して、詳細に説明する。
【００１９】
先ず、図１乃至図８に示された第１の実施の形態を説明する。
【００２０】
図７は、地下道、地下鉄、地下貯水池などの地下構造物を示し、先ず、角形断面のプレストレストコンクリート構造体としてのプレストレストコンクリート壁体（以下、プレストレストコンクリートを「ＰＣ」という）11を連続的に地中に挿入して止水処理することで２列の連壁が形成され、これらの連壁の上端間に頂版12が現場打ちコンクリート、またはハーフプレキャストコンクリートと現場打ちコンクリートにより形成され、２列の連壁間を掘下げることで、この間に空間13が形成され、２列の連壁の比較的下部間に現場打ちコンクリート、またはハーフプレキャストコンクリートと現場打ちコンクリートにより構架材としての底版14が形成されている。
【００２１】
図８に示されるように、各ＰＣ壁体11の上端部には、シートプレート15を利用して、図６に示される接続構造（後で詳述する接続ボルト33、スリーブ37など）により鋼材32aが接続され、これらの鋼材32aと前記頂版12とが、現場打ちコンクリート、またはハーフプレキャストコンクリートと現場打ちコンクリートにより接続される。一方、底版14も、図１乃至図６に示されるような接続構造により現場打ちコンクリート、またはハーフプレキャストコンクリートと現場打ちコンクリートにより接続されている。
【００２２】
図３に示されるように、各ＰＣ壁体11は、遠心力成形法などにより、長尺なコンクリート成形部21が、角形外形かつ円形中空の断面に成形され、各ＰＣ壁体11の側面に設けられた軸方向の凹溝22に充填されたグラウト材23により、各ＰＣ壁体11間の隙間が密閉され、止水が図られている。
【００２３】
図５に示されるように、コンクリート成形部21内の軸方向には緊張材としてのＰＣ鋼材16が多数配設されている。これらのＰＣ鋼材16は、主としてコンクリート成形部21の凹溝22が設けられていない２面に沿ってコンクリート成形部21の内部に配置されている。
【００２４】
図１および図２に示されるように、コンクリート成形部21内の軸方向途中部の２位置に軸方向に対し交差する状態で２つのアンカープレート24が配設されている。
【００２５】
これらのアンカープレート24の少なくとも４隅部間を、コンクリート成形部21内で複数の連結部材としての４本の連結ボルト25により相互に連結する。これらの連結ボルト25は、アンカープレート24を介して両側に螺合されたナット26により固定されている。
【００２６】
さらに、各アンカープレート24の４隅部には、コンクリート成形部21内に位置する複数のアンカー軸状部材としての短いアンカー鋼材27および長いアンカー鋼材28が、ＰＣ壁体11の軸方向に螺着または溶接付けされ、各アンカープレート24から軸方向に突出されている。
【００２７】
上下のアンカープレート24には、コンクリート成形部21の側面に露出した状態で埋込まれた構架材接続用の埋込みプレート29がそれぞれ一体に設けられている。
【００２８】
図５に示されるように、各アンカープレート24の埋込みプレート29側には、コンクリート成形部21の一方の面に沿って配設された多数の小孔30が穿設され、これらの小孔30にＰＣ鋼材16が挿通されている。
【００２９】
埋込みプレート29には、図６に示されるようにねじ穴31が形成され、図１に示されるようにＰＣ壁体11側の埋込みプレート29に対して底版14の軸筋としての鋼材32が、ねじ穴31に螺合された接続ボルト33により接続されている。
【００３０】
図６に示されるように、埋込みプレート29のねじ穴31に螺合された接続ボルト33には、６角形の回動操作部34を介して、相互に逆ねじとなる右ねじ35と左ねじ36とが設けられている。この接続ボルト33の右ねじ35は、埋込みプレート29のねじ穴31に螺合され、左ねじ36は、底版14の鋼材32の一端にかしめ固定されたスリーブ37のねじ穴38に螺合されている。
【００３１】
そして、接続ボルト33の回動操作部34をレンチなどで回動すると、右ねじ35と左ねじ36とが、埋込みプレート29のねじ穴31と、スリーブ37のねじ穴38とに同時にねじ込まれ、または同時に外される。
【００３２】
図４に示されるように、上下の埋込みプレート29の間はコンクリート成形部21にて構架材接続領域としての底版接続領域41内に当たるが、この底版接続領域41内の表面には、凹凸状の表面処理部42が形成されている。
【００３３】
この表面処理部42の凹凸は、ＰＣ壁体11を成形する際の型によって設けるようにしても良いが、コンクリート成形部21にて上下の埋込みプレート29間の表面に洗出し剤を塗布し、この表面を洗出しにより荒らすことで、凹凸を付けるようにしても良い。
【００３４】
次に、この第１の実施の形態の作用効果を説明する。
【００３５】
コンクリート成形部21内の軸方向に対し交差する状態で配設された２つのアンカープレート24の４隅部間を、コンクリート成形部21内の４本の連結ボルト25により相互に連結することで、２つのアンカープレート24と４本の連結ボルト25により構成された構架材接続用の筋構造物の強度を確保する。
【００３６】
各アンカープレート24から軸方向に突出された複数のアンカー鋼材27，28によって、アンカープレート24を介して両側に位置するコンクリート成形部21間の縁切れを防止する。
【００３７】
これらにより、上下のアンカープレート24に一体に設けられた底版接続用の埋込みプレート29を介して、底版14との十分な接続強度を確保できるＰＣ壁体11を提供する。しかも、アンカープレート24、連結ボルト25およびアンカー鋼材27，28の簡単な構造でも十分な強度を確保でき、複雑な配筋構造を必要としない。
【００３８】
さらに、埋込みプレート29のねじ穴31に螺合した接続ボルト33によって底版14の鋼材32を、この鋼材32に一体化されたスリーブ37を介し接続することで、埋込みプレート29に底版14の鋼材32を溶接した場合の溶接疲労を防止する。
【００３９】
また、凹凸状の表面処理部42により、図１に示されるようにＰＣ壁体11のコンクリート成形部21と底版14の現場打ちコンクリートとの接合強度を向上させる。なお、底版14にハーフプレキャストコンクリート43を用いた場合は、ハーフプレキャストコンクリート43の端面（図１に２点鎖線で示される）から多数の鋼材32が突出されているので、これらの鋼材32を接続ボルト33などにより埋込みプレート29に接続した後、ハーフプレキャストコンクリート43の端面と、ＰＣ壁体11の底版接続領域41との間に現場打ちコンクリート43aを打設して、底版14を形成する。
【００４０】
次に、図９に示された第２の実施の形態を説明する。
【００４１】
この図９に示された実施の形態は、図１に示された第１の実施の形態と比較すると、連結ボルト25が設けられていない点で相違する。
【００４２】
すなわち、長尺に成形されたコンクリート成形部21と、このコンクリート成形部21内の軸方向に配設されたプレストレストコンクリート用の緊張材としてのＰＣ鋼材（図に現われず）と、コンクリート成形部21内の軸方向途中部に軸方向に対し交差する状態で配設されＰＣ鋼材が挿通された２枚のアンカープレート24と、コンクリート成形部21内で各アンカープレート24から軸方向に突出された複数のアンカー軸状部材としての短いアンカー鋼材27および長いアンカー鋼材28と、アンカープレート24に一体に設けられコンクリート成形部21の側面に露出した状態で埋込まれた構架材接続用の埋込みプレート29とを具備したプレストレストコンクリート構造体としてのＰＣ壁体11aが示されている。
【００４３】
このようなＰＣ壁体11aを成形するときは、埋込みプレート29をボルトによって型枠内に固定しておく。
【００４４】
そして、コンクリート成形部21内の軸方向に対し交差する状態で配設された各アンカープレート24から軸方向に突出された複数のアンカー鋼材27，28によって、アンカープレート24を介して両側に位置するコンクリート成形部21間の縁切れを防止するとともにアンカープレート24の面方向の引抜き抗力を高めることで、アンカープレート24に一体に設けられた構架材接続用の埋込みプレート29を介して、構架材としての底版14との十分な接続強度を確保できるＰＣ壁体11aを提供する。しかも、アンカープレート24およびアンカー鋼材27，28の簡単な構造でも強度を確保でき、複雑な配筋構造を必要としない。
【００４５】
なお、この図９に示された実施の形態において、図１に示された第１の実施の形態と同様の他の部分は、同一符号を付して、その説明を省略する。
【００４６】
次に、図１０に示された第３の実施の形態を説明する。
【００４７】
この図１０に示されたプレストレストコンクリート構造体としてのＰＣ壁体11bは、図９に示された第２の実施の形態と比較すると、アンカープレート24の後側すなわち埋込みプレート29が設けられていない側が切落されているとともに、同側のアンカー鋼材27が省略されている点で相違する。なお、この図１０に示された実施の形態において、図９に示された実施の形態と同様の他の部分には、同一符号を付して、その説明を省略する。
【００４８】
次に、図１１は、図６に示された接続ボルト33の変形例となる接続ボルト33aを示し、底版14の軸筋としての鋼材32を回転させることが可能な場合は、軸全長にわたって右ねじ35a，35bを形成したものを用いても良い。なお、この図１１に示された変形例において、図６に示されたものと同様の他の部分には、同一符号を付して、その説明を省略する。
【００４９】
次に、図１２乃至図１４に示された第４の実施の形態を説明する。
【００５０】
図１２乃至図１４は、プレストレストコンクリート構造体としてのＰＣ壁体11cを示し、遠心力成形法などで長尺に成形されたコンクリート成形部21の内部には、プレストレストコンクリート用のＰＣ鋼材16が軸方向に配設され、コンクリート成形部21の軸方向途中部には、構架材接続用の角形の鋼管51がコンクリート成形部21の外周面に露出した状態でボックス状に埋込まれている。
【００５１】
この角形の鋼管51は、コンクリート成形部21の外形に沿って同様の形状に成形され、コンクリート成形部21の凹溝22と連続する凹溝22aを有している。
【００５２】
そして、コンクリート成形部21の外周面にボックス状に埋込まれた構架材接続用の角形の鋼管51において凹溝22aが設けられていない平面部52に、構架材としての底版14の鋼材を、接続ボルトまたは溶接付けにより接続することで、底版14との十分な接続強度を確保する。
【００５３】
しかも、この底版接続用の鋼管51は、コンクリート成形部21内に配設されたＰＣ鋼材16と関係なくコンクリート成形部21の外周面に設置するもので、複雑な配筋構造を必要としない。
【００５４】
次に、図１５乃至図１７に示された第５の実施の形態を説明する。
【００５５】
図１５乃至図１７は、プレストレストコンクリート構造体としてのＰＣ壁体11dを示し、遠心力成形法などで長尺に成形されたコンクリート成形部21の内部には、プレストレストコンクリート用のＰＣ鋼材16が軸方向に配設され、コンクリート成形部21の軸方向途中部の一側面およびこの一側面に対し反対側に位置する他側面には、構架材接続用の埋込みプレート61がそれぞれ露出した状態で埋込まれている。
【００５６】
これらの一側面および他側面の埋込みプレート61は、それらの左右一端部間および他端部間を溶接された連結プレート62により連結されている。これらの連結プレート62は、ＰＣ鋼材16を避けてコンクリート成形部21内に配設されている。この連結プレート62には、図１７に示されるように複数の穴63が穿設されている。
【００５７】
そして、遠心力成形時に両側の連結プレート62，62間に注入されたコンクリートは、穴63を経て連結プレート62の外側にも供給され、また、この穴63内で固化されたコンクリートは、コンクリート成形部21内での連結プレート62の固定を確実にし、連結プレート62に作用する荷重を支えることができる。
【００５８】
このように、コンクリート成形部21の一側面および他側面に露出した状態で埋込まれた構架材接続用の埋込みプレート61の左右一端部間および他端部間を、コンクリート成形部21内の連結プレート62により連結したボックス構造によって、十分な強度を有する構架材接続用の構造物を構成し、その埋込みプレート61に構架材としての底版14の鋼材を、接続ボルトまたは溶接付けにより接続することで、底版14との十分な接続強度を確保する。
【００５９】
しかも、一側および他側の底版接続用の埋込みプレート61の左右一端部間および他端部間を、ＰＣ鋼材16を避けてコンクリート成形部21内に配設された連結プレート62により連結した簡単な構造で、接続強度を確保できる。
【００６０】
なお、プレストレストコンクリート構造体は、ＰＣ壁体11，11a，11b，11c，11dに限定されるものではなく、ＰＣ杭体またはＰＣ柱体にも適用できる。
【図面の簡単な説明】
【００６１】
【図１】本発明に係るプレストレストコンクリート構造体における構架材接続構造の第１の実施の形態を示す断面図である。
【図２】同上構造体の構架材接続用の筋構造物を示す斜視図である。
【図３】同上構造体における構架材接続部分の連壁構造を示す横断方向断面図である。
【図４】図３のIV−IV線断面図である。
【図５】同上構造体における構架材接続部分の横断方向断面図である。
【図６】同上構造体の構架材軸筋接続構造を示す断面図である。
【図７】同上構造体を用いて施工した地下構造物を示す断面図である。
【図８】同上構造体の上端部を示す正面図である。
【図９】本発明に係るプレストレストコンクリート構造体における構架材接続構造の第２の実施の形態を示す断面図である。
【図１０】本発明に係るプレストレストコンクリート構造体における構架材接続構造の第３の実施の形態を示す断面図である。
【図１１】同上構造体の構架材軸筋接続構造の変形例を示す断面図である。
【図１２】本発明に係るプレストレストコンクリート構造体における構架材接続部分の第４の実施の形態を示す横断方向断面図である。
【図１３】同上構造体の構架材接続部分の正面図である。
【図１４】図１２におけるXI−XI線断面図である。
【図１５】本発明に係るプレストレストコンクリート構造体における構架材接続部分の第５の実施の形態を示す横断方向断面図である。
【図１６】同上構造体の構架材接続部分の正面図である。
【図１７】図１５におけるXIV−XIV線断面図である。
【符号の説明】
【００６２】
14    構架材としての底版
16    緊張材としてのＰＣ鋼材
21    コンクリート成形部
24    アンカープレート
25    連結部材としての連結ボルト
27，28    アンカー軸状部材としてのアンカー鋼材
29    埋込みプレート
31    ねじ穴
32    軸筋としての鋼材
33    接続ボルト
41    構架材接続領域としての底版接続領域
42    表面処理部
51    鋼管
61    埋込みプレート
62    連結プレート
【図１】
2005336748.tif 000003
【図２】
2005336748.tif 000004
【図３】
2005336748.tif 000005
【図４】
2005336748.tif 000006
【図５】
2005336748.tif 000007
【図６】
2005336748.tif 000008
【図７】
2005336748.tif 000009
【図８】
2005336748.tif 000010
【図９】
2005336748.tif 000011
【図１０】
2005336748.tif 000012
【図１１】
2005336748.tif 000013
【図１２】
2005336748.tif 000014
【図１３】
2005336748.tif 000015
【図１４】
2005336748.tif 000016
【図１５】
2005336748.tif 000017
【図１６】
2005336748.tif 000018
【図１７】
2005336748.tif 000019